(57)【要約】【課題】毛束をヘッド部材に強固に固定し、ヘッド部材をコンパクトに形成し、低コストでの大量生産を可能とする。【解決手段】複数の毛束６を有するヘッド部材３が柄部２の先端に取り付けられており、前記ヘッド部材３は、複数の毛束６と、これらの毛束６のそれぞれと毛束６の基端側で一体とされた基端部材９とを備えるブラシ体７と、それぞれの毛束６に対応した位置に挿通孔１３が形成されると共に、挿通孔１３に毛束６を挿通した状態で前記ブラシ体７に溶着されている固定部材８とを有している。【選択図】図３
0003131630.tif 000002
【実用新案登録請求の範囲】
【請求項１】
複数の毛束（６）を有するヘッド部材（３）が柄部（２）の先端に取り付けられているブラシであって、
前記ヘッド部材（３）は、
複数の毛束（６）と、これらの毛束（６）のそれぞれと毛束（６）の基端側で一体とされた基端部材（９）とを備えるブラシ体（７）と、
それぞれの毛束（６）に対応した位置に挿通孔（１３）が形成されると共に、挿通孔（１３）に毛束（６）を挿通した状態で前記ブラシ体（７）に熱溶着されている固定部材（８）と
を有していることを特徴とするブラシ。
【請求項２】
前記ヘッド部材（３）は、柄部（２）の先端に超音波接合で取り付けられていることを特徴とする請求項１に記載のブラシ。
【考案の詳細な説明】
【技術分野】
【０００１】
本考案は、ヘッド部材が柄部の先端に取り付けられているブラシに関するものである。
【背景技術】
【０００２】
従来の歯ブラシにおいては、複数本の刷毛を束ねた毛束がヘッド部の植毛面に金属片を用いて植毛されている。しかしながら、金属片を用いて毛束が植毛される歯ブラシにおいては、金属片が腐食して毛束がヘッド部から抜けやすくなるため、耐久性に劣るという問題がある。そのため、近年は毛束がヘッド部に固着された歯ブラシが用いられている。
例えば、特許文献１には、ヘッド部の植毛面と毛束の端部とをプレート状ヒータで溶融状態とし、溶融状態において植毛面に毛束を溶着する歯ブラシが知られている。
また、特許文献２には、ヘッド部に植毛孔を形成し、この植毛孔に毛束を挿通し、毛束ごと植毛孔を樹脂で埋め込んで形成される歯ブラシが知られている。
【特許文献１】特開昭６１−７６１０４号公報
【特許文献２】特開２００３−１９０２９号公報
【考案の開示】
【考案が解決しようとする課題】
【０００３】
しかしながら、特許文献１、２の歯ブラシは、金属片による固定に比べて毛束のヘッド部に対する固定は強固ではない。そのため、前記歯ブラシにおいては、毛束をヘッド部に深く差し込んだ状態で固定できるようにヘッド部に一定の厚みを確保する必要がある。つまり、特許文献１、２の歯ブラシはコンパクト化が困難であるという問題があった。
また、前記歯ブラシは、ヘッド部や毛束を加熱する工程やヘッド部に植毛孔を形成する工程が毛束の溶着工程以外に必要となり、複雑な製造工程を必要とするため低コストでの大量生産が困難であるという問題もあった。
【０００４】
本考案はこのような問題に鑑みてなされたものであって、本考案は、ヘッド部材を厚く形成しなくても毛束をヘッド部材に強固に固定でき、ヘッド部材をコンパクトに形成できるため低コストでの大量生産が可能となるブラシを提供することを目的とする。
【課題を解決するための手段】
【０００５】
前記目的を達成するため、本考案は次の技術的手段を講じている。
即ち、複数の毛束６を有するヘッド部材３が柄部２の先端に取り付けられているブラシであって、前記ヘッド部材３は、複数の毛束６と、これらの毛束６のそれぞれと毛束６の基端側で一体とされた基端部材９とを備えるブラシ体７と、それぞれの毛束６に対応した位置に挿通孔１３が形成されると共に、挿通孔１３に毛束６を挿通した状態で前記ブラシ体７に熱溶着されている固定部材８とを有している。
この技術的手段によれば、ブラシ体７においては複数の毛束６がそれぞれの基端側で基端部材９に一体に形成され、基端部材９が毛束６のヘッド部材３からの抜け止めをするので、ヘッド部材３を厚く形成しなくても毛束６をヘッド部材３に強固に固定することができ、毛束６がヘッド部材３から抜けることが抑制乃至防止される。
【０００６】
また、本考案のブラシ１では、毛束６を樹脂で埋め込む場合に比べてヘッド部材３を薄肉化（コンパクト化）できるようになり、原材料費を低くできると共に製造時間を短縮化できるので、低コストでの大量生産が可能となる。
なお、前記ヘッド部材３は、柄部２の先端に超音波接合で取り付けられているのが好ましい。
これにより、接着剤で柄部２の先端にヘッド部材３を取り付けた場合のように溶剤を用いることがないので、衛生上好ましい歯ブラシを得ることができる。
【考案の効果】
【０００７】
本考案の歯ブラシによれば、ヘッド部材を厚く形成しなくても毛束をヘッド部材に強固に固定でき、ヘッド部材をコンパクトに形成できるため低コストでの大量生産が可能となる。
【考案を実施するための最良の形態】
【０００８】
以下、本考案に係るブラシの実施の形態を説明する。
図１に示すように、本考案のブラシ１は、柄部２と、柄部２の先端側（図１右側）に取り付けられたヘッド部材３とを有している。
前記柄部２は、合成樹脂で棒状に形成されており、中途側から基端側（図１左側）は先端側より太めに形成されている。この柄部２の中途側から基端側には、把持した際に滑らないように滑り止めなどを形成することができる。柄部２の先端側は、口内に差し込む際に支障にならないように、中途側や基端側より細めに形成されている。柄部２の先端側には、ヘッド部材３と係合する係合面４が下側に形成されている。
【０００９】
前記係合面４は、ヘッド部材３の被係合面５に対応して平坦に形成されており、被係合面５と超音波接合により接合（取付）されている。
図２〜図４に示すように、第１実施形態のヘッド部材３は、複数の毛束６と、これらの毛束６のそれぞれと毛束６の基端側で一体とされた基端部材９とを備えるブラシ体７と、それぞれの毛束６に対応した位置に挿通孔１３が形成されると共に、挿通孔１３に毛束６を挿通した状態で前記ブラシ体７に溶着されている固定部材８とを有している。
前記ヘッド部材３は、上方に配置されたブラシ体７と下方に配置された固定部材８とを熱溶着して形成されている。ヘッド部材３は、上部に被係合面５を有しており、この被係合面５を介して前記柄部２の係合面４に接合（固定）されている。
【００１０】
前記ブラシ体７は、複数の毛束６と、複数の毛束６の基端側（図２における毛束６の上端側）に設けられる基端部材９とを有している。前記毛束６は、刷毛１０を２０〜４０本揃えて束ねたものである。
前記基端部材９は、合成樹脂で板状に形成されており、一方の面には毛束形成面１１が形成されている。この毛束形成面１１には毛束６が一定の間隔をあけて且つ毛束形成面１１と略垂直に複数配置されており、これらの毛束６がそれぞれの基端側で毛束形成面１１と接するように毛束６と基端部材９とが一体に形成されている。
【００１１】
前記基端部材９は、互いに隣接しあう毛束６同士を繋ぐように、それぞれの毛束６の基端側を溶融して板状に形成した部材と言うこともできる。
なお、前記基端部材９は、それぞれの毛束６の基端側が熱溶着されて、溶融された合成樹脂がそれぞれの毛束６を中心に広がることで、隣接し合う毛束６同士がそれぞれの基端側で繋がった板状に形成されている。そのため、本実施形態においては図２に示されるように、隣接し合う毛束６同士の間隔が大きな箇所には合成樹脂が十分に広がりきれていない隙間が形成されている。しかし、溶融された合成樹脂の量を増やすことで、基端部材９を合成樹脂で隙間のない板状に形成することもできる。
【００１２】
前記固定部材８は、基端部材９を構成する合成樹脂より高融点の合成樹脂で板状に形成されており、上部に凹状部１２が設けられている。前記凹状部１２の底面には、毛束６を挿通する挿通孔１３が、毛束形成面１１上の毛束６に対応した位置に形成されている。なお、本実施形態では、挿通孔１３は毛束形成面１１上の毛束６の１束に対応して１つづつ形成されている。前記凹状部１２の底面は、基端部材９の毛束形成面１１と面接状態で溶着されている。
刷毛１０は、ブラッシング用途や除去対象に合わして熱可塑性の合成樹脂で形成されている。熱可塑性の合成樹脂には、ポリエチレンテレフタレート樹脂（ＰＥＴ）やポリブチレンテレフタレート樹脂（ＰＢＴ）などのポリエステル樹脂、ナイロンやアラミドなどのポリアミド樹脂、ポリエチレンやポリプロピレンなどのポリオレフィン樹脂を好ましくは用いることができる。なお、刷毛１０の耐久性に鑑みれば、ナイロンやアラミドなどのポリアミド樹脂の刷毛１０を用いるのが最も好ましい。
【００１３】
刷毛１０は、ブラッシングの用途（成人向け／子供向け、歯周病予防、歯石予防などの用途）、ブラッシングする歯の種類（前歯、奥歯、乳歯、歯間）、除去対象（食べかす、プラーク）などに合わせて形状、太さなどを適宜変更することができる。例えば、歯間に挟まった食べかすを取り除くために毛先を細めたり、プラークを擦り落とすために毛先を球状にしたりすることもできる。
刷毛１０の太さは、ブラッシングの用途や対象により異なるため一概に定めることはできないが、一般的なものとしては０．０５〜０．２５ｍｍφ、好ましくは０．１２〜２．０ｍｍφとされる。
【００１４】
毛束６は、合成樹脂製の刷毛１０に他の材料からなるブラッシング部材を混ぜ合わした混糸で形成することもできる。前記ブラッシング部材には、０．０５〜０．２５ｍｍφの合成繊維糸、天然繊維糸、または合成樹脂製のプレートなどが挙げられる。これにより、歯間に挟まった食べかすをより確実に取り除けるようになる。
図５に示すように、第１実施形態のブラシ１は以下に示す方法で製造される。
つまり、図５（ａ）に示す第１の工程において、固定部材８が金型１４の中央に配置される。この金型１４には上下に貫通孔１５が形成されており、貫通孔１５の上下方向の途中に固定部材８を位置決めする段差１６が設けられている。
【００１５】
図５（ｂ）に示す第２の工程において、金型１４に配置された固定部材８の挿通孔１３に対して、毛束６が下方から挿入される。毛束６は上端が挿通孔１３を挿通して固定部材８より上方に飛び出るように挿入される。
図５（ｃ）に示す第３の工程において、毛束６（刷毛１０）を構成する合成樹脂の融点以上の温度に加熱された成形金型１８が固定部材８に向けて下降し、固定部材８より上方に飛び出た毛束６の上端側に当接する。固定部材８より上方に飛び出た毛束６は成形金型１８により溶融し、毛束６を構成する刷毛１０同士が溶着される。
【００１６】
成形金型１８は、固定部材８の上端と面位置になるまで下降し、この面位置より上方に突出した毛束６が全て溶融されると共に、溶融された合成樹脂が板状に押し伸ばされる。その結果、隣り合う毛束６同士が溶着し合い、基端部材９が毛束６の上方に一体に形成されたブラシ体７が成形される。このブラシ体７は、固定部材８に熱可塑状態で圧着されるため、固定部材８に溶着固定される。
ブラシ体７が形成された後、毛束６の下端側がカット装置１９で切断され、ヘッド部材３が形成される。
【００１７】
図５（ｄ）に示す第４の工程において、柄部２がヘッド部材３の上に配置され、係合面４の下面とヘッド部材３の被係合面５とが面接状態となる。この面接状態において柄部２とヘッド部材３に超音波Ｓが加えられ、ヘッド部材３が柄部２に超音波接合される。
前記ブラシ体７は、複数の毛束６がそれぞれの基端側で基端部材９に強固に一体形成されており、この基端部材９が毛束６のヘッド部材３からの抜け止めを行っている。そのため、毛束６がヘッド部材３に強固に固定され、毛束６のヘッド部材３からの抜け落ちが抑制乃至防止される。
【００１８】
また、前記ブラシ体７は、毛束６の抜け止めを毛束６に一体形成された基端部材９により行っており、従来の毛束６を樹脂で埋め込む場合のようにヘッドを厚くする必要がない。そのため、本考案のブラシ１ではヘッド部を薄肉化（コンパクト化）できるようになり、原材料費を低くできると共に製造時間を短縮化できるので、低コストでの大量生産が可能となる。
また、前記ブラシ１は、ヘッドが薄肉化されているので、口内の隅々まで確実にブラッシングすることが可能となる。さらに、本考案のブラシ１ではヘッド部材３を薄肉化しているので、厚肉のヘッド部よりブラシ部分が弾力的に歯に当たり、歯肉を傷つけないようにソフトにブラッシングしても十分に食べかすや汚れを取り除くことができる。
【００１９】
前記ヘッド部材３を柄部２の先端に超音波接合で取り付けることにより、接着剤で柄部２の先端にヘッド部を取り付けた場合のように溶剤を用いることがないので、衛生上好ましい歯ブラシを得ることができる。また、前記ブラシ１は、従来のように接着剤の硬化工程が不要であるため、製造工程を簡略化と製造の省スペース化が可能となる。
本考案は上記実施形態に限定されるものではなく、考案の本質を変更しない範囲で各部材の形状、構造、材質、組み合わせなどを適宜変更可能である。
例えば、上記実施形態は、歯ブラシの用途に用いられるブラシ１についてのものであった。しかし、本考案のブラシ１は、日用品、医療、工業などの分野で歯ブラシ以外の用途に用いられるブラシにも利用することができる。
【００２０】
また、上記実施形態ではヘッド部材３は柄部２に超音波接合されていたが、接着や熱融着を用いてヘッド部材３を柄部２に取り付けても良い。また、ヘッド部材３を嵌着や螺合により柄部２に着脱自在に取り付けることで、用途に合わせて複数のヘッド部材３を取り替えられるブラシを得ることもできる。
さらに、上記実施形態において固定部材８より上方に飛び出た毛束６は、合成樹脂の融点以上の温度に加熱された成形金型１８により溶融されていたが、合成樹脂の融点以上に加熱された熱風により毛束６を溶融することも可能である。
【００２１】
上記実施形態では毛束６は毛束形成面１１上において一定の間隔をあけて設けられていたが、毛束６を毛束形成面１１上にそれぞれ異なる間隔で形成したり特定のパターンに沿わせて形成することも可能である。
さらにまた、上記実施形態では挿通孔１３は毛束形成面１１上の毛束６の１束に対応して１つづつ形成されていたが、挿通孔１３を毛束形成面１１上の複数の毛束６に対応して１つづつ形成することも可能である。
【図面の簡単な説明】
【００２２】
【図１】本考案のブラシの側面図である。
【図２】ヘッド部材を上方から見た平面図である。
【図３】図２のＡ−Ａ線断面図である。
【図４】図２のＢ−Ｂ線断面図である。
【図５】本考案のブラシの製造方法を示す説明図である。
【符号の説明】
【００２３】
１    ブラシ
２    柄部
３    ヘッド部材
６    毛束
７    ブラシ体
８    固定部材
９    基端部材
１３    挿通孔
【図２】
0003131630.tif 000003
【図３】
0003131630.tif 000004
【図４】
0003131630.tif 000005
【図５】
0003131630.tif 000006
【図１】
0003131630.tif 000007